【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
画像形成装置において、 印刷動作を行う動作ユニットと、  外部ソースからデータを受信する通信インターフェース部と、  前記動作ユニットを駆動するためのプログラムを保存する主メモリーと、  前記主メモリーに接続され、活性化モードで前記主メモリーからアクセスされたプログラムを実行することで前記動作ユニットを制御する主制御部と、  前記主メモリー及び前記主制御部に電力を供給する主電力供給部と、  前記通信インターフェース部及び前記主制御部の間に接続される副制御部と、を含み、  前記主制御部は、前記動作ユニットが前記活性化モードで予め設定された時間の間に休止状態にあるとき、前記活性化モードから待機モードに切り替え、  前記主メモリーは、前記待機モードの間にセルフリフレッシュ（ｓｅｌｆ−ｒｅｆｒｅｓｈ）モードで動作し、  前記副制御部は、前記待機モードの間に前記通信インターフェース部を介してデータを受信し、前記受信されたデータが前記主制御部または前記副制御部で処理されるか否かを決定し、前記受信されたデータが前記主制御部で処理されると決定されると、前記主制御部をウェイクアップすることを特徴とする画像形成装置。
【請求項２】
前記副制御部は、前記通信インターフェース部を介して入力されるデータを受信する第１ＭＡＣ（Ｍｅｄｉａ  Ａｃｃｅｓｓ  Ｃｏｎｔｒｏｌｌｅｒ）と、 前記第１ＭＡＣで受信されるデータを出力する第２ＭＡＣと、  前記出力されるデータの伝送タイミングを調節するスイッチとを含むことを特徴とする請求項１に記載の画像形成装置。
【請求項３】
前記出力されるデータは、ＭＩＩ（Ｍｅｄｉａ  Ｉｎｄｅｐｅｎｄｅｎｔ  Ｉｎｔｅｒｆａｃｅ）、ＧＭＩＩ（Ｇｉｇａｂｉｔ  ＭＩＩ）及びＲＧＭＩＩ（Ｒｅｄｕｃｅ  ＧＭＩＩ）のうち少なくとも一つの形態であり、  前記スイッチは、前記ＭＩＩ（Ｍｅｄｉａ  Ｉｎｄｅｐｅｎｄｅｎｔ  Ｉｎｔｅｒｆａｃｅ）、前記ＧＭＩＩ（Ｇｉｇａｂｉｔ  ＭＩＩ）及び前記ＲＧＭＩＩ（Ｒｅｄｕｃｅ  ＧＭＩＩ）のうち少なくとも一つのデータが前記主制御部に伝達されるように、前記出力されるデータの伝送タイミングを調節することを特徴とする請求項２に記載の画像形成装置。
【請求項４】
ＵＳＢインターフェース部を介してデータを受信するＵＳＢデバイスモジュールと、  前記ＵＳＢデバイスモジュールを介して受信されるデータを前記主制御部に伝達するＵＳＢホストモジュールとを更に有することを特徴とする請求項１に記載の画像形成装置。
【請求項５】
前記副制御部は、前記待機モード状態で前記第１ＭＡＣを介して受信されるデータが前記主制御部で処理されるデータであると、前記主制御部に前記電力を供給するように前記主電力供給部を制御するプロセッサを更に含み、  前記第２ＭＡＣは、前記主制御部が前記活性化モードに切り替えられると、前記受信されるデータを前記スイッチに伝達することを特徴とする請求項１に記載の画像形成装置。
【請求項６】
前記主制御部は、前記待機モードで前記ＵＳＢデバイスモジュールを介して受信される前記データが前記主制御部で処理されるデータであると、前記活性化モードに切り替えられ、  前記ＵＳＢホストモジュールは、前記主制御部が前記活性化モードに切り替えられると、前記ＵＳＢデバイスモジュールを介して受信されるデータを前記主制御部に伝達することを特徴とする請求項４に記載の画像形成装置。
【請求項７】
前記副制御部は、前記通信インターフェース部の内の１つを介してデータを受信する第１ＭＡＣ（Ｍｅｄｉａ  Ａｃｃｅｓｓ  ｃｏｎｔｒｏｌｌｅｒ）と、  前記第１ＭＡＣを介して受信されたデータが前記主制御部で処理されるデータであると、前記主制御部に前記電力を再供給するように前記主電力供給部を制御するプロセッサと、  前記再供給された電力によって前記主制御部が前記活性化モードに切り替えられると、前記第１ＭＡＣを介して受信されたデータを前記主制御部に伝達するＵＳＢホストモジュールとを含むことを特徴とする請求項１に記載の画像形成装置。
【請求項８】
ＵＳＢインターフェース部を介してデータを受信するＵＳＢデバイスモジュールを更に有し、  前記主制御部は、前記ＵＳＢデバイスモジュールを介して受信されるデータが前記主制御部で処理されるデータであると、前記主制御部は前記活性化モードに切り替えられ、  前記ＵＳＢホストモジュールは、前記ＵＳＢデバイスモジュールを介して受信されるデータを前記主制御部に伝達することを特徴とする請求項７に記載の画像形成装置。
【請求項９】
ＵＳＢインターフェース部を介してデータを受信するＵＳＢデバイスモジュールと、  前記受信されたデータが前記主制御部で処理されるデータであると、前記活性化モードに切り替えられる主制御部と、  前記主制御部が前記活性化モードに切り替えられると、前記ＵＳＢデバイスモジュールを介して受信されるデータを前記主制御部に伝達する第２ＭＡＣと、を含むことを特徴とする請求項１に記載の画像形成装置。
【請求項１０】
前記副制御部は、前記通信インターフェース部を介してデータを受信する第１ＭＡＣを更に含み、  前記主制御部は、前記受信されるデータが前記主制御部で処理されるデータであると、前記活性化モードに切り替えられ、前記第２ＭＡＣは、前記主制御部が活性化モードであると前記第１ＭＡＣを介して受信されたデータを前記主制御部に伝達することを特徴とする請求項９に記載の画像形成装置。
【請求項１１】
前記主メモリーは、ＤＤＲメモリーを含むことを特徴とする請求項１に記載の画像形成装置。
【請求項１２】
前記副制御部に電力を供給する低電力供給部を更に有することを特徴とする請求項１に記載の画像形成装置。
【請求項１３】
前記通信インターフェース部は、ネットワークインターフェース部と、前記ネットワークインターフェース部と前記副制御部との間に接続されたＰＨＹチップとを含むことを特徴とする請求項１に記載の画像形成装置。
【請求項１４】
外部ファクシミリと通信するファックス送受信ユニットと、  前記活性化モードへの切り替えを要請するウェイクアップボタンとを更に有し、  前記ファックス送受信ユニットまたは前記ウェイクアップボタンから入力されるデータは、前記活性化モードへの切り替えを決定するために分析されることを特徴とする請求項１に記載の画像形成装置。
【請求項１５】
前記主制御部は、前記ファックス送受信ユニットからリング（ｒｉｎｇ）信号が検出されると、前記活性化モードに切り替えるようにし、前記ファックス送受信ユニットは前記外部ファクシミリから受信されたファックスデータを前記主制御部に伝達することを特徴とする請求項１４に記載の画像形成装置。
【請求項１６】
通信インターフェース部、主制御部、及び前記主制御部と前記通信インターフェース部との間に接続された副制御部を含む画像形成装置の消費電力制御方法において、  活性化モードで前記主制御部が主メモリーからアクセスされたプログラムを実行することで前記画像形成装置の印刷動作を制御するステップと、  前記活性化モードで前記画像形成装置の印刷ユニットが予め設定された時間の間に休止状態を維持すると、前記主制御部を前記活性化モードから待機モードに切り替え、前記主メモリーがセルフリフレッシュモードで動作するステップと、  前記待機モードで、前記通信インターフェース部を介してデータを受信されると、前記受信されたデータが前記副主制御部または前記主制御部で処理されるか否かを決定するステップと、前記受信されたデータが前記主制御部で処理されると決定されると、前記主制御部を前記活性化モードにウェイクアップするステップとを有することを特徴とする画像形成装置の消費電力制御方法。
【請求項１７】
前記通信インターフェース部から入力されるデータを第１ＭＡＣ（Ｍｅｄｉａ  Ａｃｃｅｓｓ  Ｃｏｎｔｒｏｌｌｅｒ）が受信するステップと、  前記第１ＭＡＣを介して受信されるデータを第２ＭＡＣで出力するステップと、  前記出力されるデータの伝送タイミングを調節するステップとを更に有することを特徴とする請求項１６に記載の画像形成装置の消費電力制御方法。
【請求項１８】
前記第１ＭＡＣを介して受信されるデータを第２ＭＡＣで出力するステップは、ＭＩＩ（Ｍｅｄｉａ  Ｉｎｄｅｐｅｎｄｅｎｔ  Ｉｎｔｅｒｆａｃｅ）、ＧＭＩＩ（Ｇｉｇａｂｉｔ  ＭＩＩ）及びＲＧＭＩＩ（Ｒｅｄｕｃｅ  ＧＭＩＩ）のうち少なくとも一つの形態で前記受信されたデータを出力し、  前記出力されるデータの伝送タイミングを調節するステップは、前記ＭＩＩ（Ｍｅｄｉａ  Ｉｎｄｅｐｅｎｄｅｎｔ  Ｉｎｔｅｒｆａｃｅ）、前記ＧＭＩＩ（Ｇｉｇａｂｉｔ  ＭＩＩ）及び前記ＲＧＭＩＩ（Ｒｅｄｕｃｅ  ＧＭＩＩ）のうち少なくとも一つのデータが前記主制御部に伝達されるように、前記出力されるデータの伝送タイミングを調節することを特徴とする請求項１７に記載の画像形成装置の消費電力制御方法。
【請求項１９】
ＵＳＢインターフェース部を介して入力されるデータをＵＳＢデバイスモジュールが受信するステップと、  前記ＵＳＢデバイスモジュールを介して受信されるデータをＵＳＢホストモジュールから前記主制御部に伝達するステップとを更に有することを特徴とする請求項１６に記載の画像形成装置の消費電力制御方法。
【請求項２０】
前記待機モード状態で、前記第１ＭＡＣを介して受信されるデータが前記主制御部で処理されるデータであると、前記主制御部を前記活性化モードに切り替えるステップを更に有し、  前記第１ＭＡＣを介して受信されるデータを前記第２ＭＡＣで出力するステップは、前記主制御部が前記活性化モードに切り替えられると、前記受信されるデータを前記第２ＭＡＣで出力することを特徴とする請求項１７に記載の画像形成装置の消費電力制御方法。
【請求項２１】
前記待機モード状態で前記ＵＳＢデバイスモジュールを介して受信される前記データが前記主制御部で処理されるデータであるか否かに基づいて、前記活性化モードに切り替えるか否かを決定するステップを更に有し、  前記ＵＳＢデバイスモジュールを介して受信されるデータをＵＳＢホストモジュールから前記主制御部に伝達するステップは、前記主制御部が前記活性化モードに切り替えられると、前記ＵＳＢデバイスモジュールを介して受信されるデータを前記ＵＳＢホストモジュールから前記主制御部に伝達することを特徴とする請求項１９に記載の画像形成装置の消費電力制御方法。
【請求項２２】
前記通信インターフェース部から入力されるデータを第１ＭＡＣが受信するステップと、  前記第１ＭＡＣを介して受信されたデータが前記主制御部で処理されるデータであると、前記主制御部に前記電力を供給して前記活性化モードに切り替えるステップと、  前記第１ＭＡＣを介して受信したデータを前記ＵＳＢホストモジュールによって前記主制御部に伝達するステップとを更に有することを特徴とする請求項１６に記載の画像形成装置の消費電力制御方法。
【請求項２３】
ＵＳＢインターフェース部を介して入力されるデータをＵＳＢデバイスモジュールで受信するステップを更に有し、  前記第１ＭＡＣを介して受信したデータを前記ＵＳＢホストモジュールによって前記主制御部に伝達するステップは、前記主制御部が前記活性化モードに切り替えられると、前記ＵＳＢホストモジュールは前記第１ＭＡＣを介して受信したデータを前記主制御部に伝達することを特徴とする請求項２２に記載の画像形成装置の消費電力制御方法。
【請求項２４】
ＵＳＢインターフェース部を介して入力されるデータをＵＳＢデバイスモジュールを介して受信するステップと、  前記第１ＭＡＣを介して受信されたデータが前記主制御部で処理されるデータであると、前記主電力供給部が前記主制御部に前記電力を供給して前記主制御部を前記活性化モードに切り替えるステップと、  前記ＵＳＢデバイスモジュールを介して受信したデータを第２ＭＡＣを介して前記主制御部に伝達するステップとを更に有することを特徴とする請求項１６に記載の画像形成装置の消費電力制御方法。
【請求項２５】
前記通信インターフェース部を介して入力されるデータを第１ＭＡＣによって受信するステップを更に有し、  前記ＵＳＢデバイスモジュールを介して受信したデータを第２ＭＡＣを介して前記主制御部に伝達するステップは、前記主制御部が前記活性化モードに切り替えられると、前記第２ＭＡＣは前記ＵＳＢデバイスモジュールを介して受信されたデータを前記主制御部に伝達することを特徴とする請求項２４に記載の画像形成装置の消費電力制御方法。
【請求項２６】
前記主メモリーがセルフリフレッシュモードで動作するステップは、前記主制御部と通信する主メモリーをセルフリフレッシュモードに変更するステップと、  前記副制御部の制御によって、前記主電力供給部から前記主制御部に供給される電力を遮断するステップと、  前記副制御部への電力供給を維持するステップとを含むことを特徴とする請求項１６に記載の画像形成装置の消費電力制御方法。
【請求項２７】
前記通信インターフェース部は、ネットワークインターフェース部を含むことを特徴とする請求項１６に記載の画像形成装置の消費電力制御方法。
【請求項２８】
前記受信されたデータが前記副主制御部または前記主制御部で処理されるか否かを決定するステップは、  外部ファクシミリと送受信するファックス送受信ユニットまたは前記活性化モードへの切り替えを要請するウェイクアップボタンと接続され、前記ファックス送受信ユニットまたは前記ウェイクアップボタンから入力されるデータを分析して前記活性化モードへの切り替えを決定することを特徴とする請求項１６に記載の画像形成装置の消費電力制御方法。
【請求項２９】
前記待機モードの間に前記通信インターフェース部を介して受信されたデータは、印刷データを含む主制御部によって処理されることを特徴とする請求項１に記載の画像形成装置。
【請求項３０】
前記待機モードの間に前記通信インターフェース部を介して受信されたデータが、前記副制御部で処理されると決定されると、前記待機モードから前記主制御部をウェイクアップせずに前記副制御部で処理されることを特徴とする請求項１に記載の画像形成装置。
【請求項３１】
前記副制御部は、前記活性化モードの間に前記通信インターフェース部を介して受信されたデータを前記主制御部にリレーすることを特徴とする請求項１に記載の画像形成装置。
【請求項３２】
前記待機モードの間に前記通信インターフェース部を介して受信されたデータは、印刷データを含む前記主制御部によって処理されることを特徴とする請求項１６に記載の画像形成装置の消費電力制御方法。
【請求項３３】
前記待機モードの間に前記通信インターフェース部を介して受信されたデータが、前記副制御部で処理されると決定されると、前記待機モードから前記主制御部をウェイクアップせずに前記副制御部で処理されることを特徴とする請求項１６に記載の画像形成装置の消費電力制御方法。
【請求項３４】
前記副制御部は、前記活性化モードの間に前記通信インターフェース部を介して受信されたデータを前記主制御部にリレーすることを特徴とする請求項１６に記載の画像形成装置の消費電力制御方法。
【手続補正２】
【補正対象書類名】明細書
【補正対象項目名】発明の名称
【補正方法】変更
【補正の内容】
【発明の名称】画像形成装置及びその消費電力制御方法
【手続補正３】
【補正対象書類名】明細書
【補正対象項目名】０００５
【補正方法】変更
【補正の内容】
【０００５】  そこで、本発明は上記従来の画像形成装置における問題点に鑑みてなされたものであって、本発明の目的は、待機モードでの電力消費を最小限化することのできる画像形成装置及びその消費電力制御方法を提供することにある。
【手続補正４】
【補正対象書類名】明細書
【補正対象項目名】０００６
【補正方法】変更
【補正の内容】
【０００６】  上記目的を達成するためになされた本発明による画像形成装置は、画像形成装置において、印刷動作を行う動作ユニットと、外部ソースからデータを受信する通信インターフェース部と、前記動作ユニットを駆動するためのプログラムを保存する主メモリーと、前記主メモリーに接続され、活性化モードで前記主メモリーからアクセスされたプログラムを実行することで前記動作ユニットを制御する主制御部と、前記主メモリー及び前記主制御部に電力を供給する主電力供給部と、前記通信インターフェース部及び前記主制御部の間に接続される副制御部と、を含み、前記主制御部は、前記動作ユニットが前記活性化モードで予め設定された時間の間に休止状態にあるとき、前記活性化モードから待機モードに切り替え、前記主メモリーは、前記待機モードの間にセルフリフレッシュ（ｓｅｌｆ−ｒｅｆｒｅｓｈ）モードで動作し、前記副制御部は、前記待機モードの間に前記通信インターフェース部を介してデータを受信し、前記受信されたデータが前記主制御部または前記副制御部で処理されるか否かを決定し、前記受信されたデータが前記主制御部で処理されると決定されると、前記主制御部をウェイクアップすることを特徴とする。
【手続補正５】
【補正対象書類名】明細書
【補正対象項目名】０００７
【補正方法】変更
【補正の内容】
【０００７】  前記副制御部は、前記通信インターフェース部を介して入力されるデータを受信する第１ＭＡＣ（Ｍｅｄｉａ  Ａｃｃｅｓｓ  Ｃｏｎｔｒｏｌｌｅｒ）と、前記第１ＭＡＣで受信されるデータを出力する第２ＭＡＣと、前記出力されるデータの伝送タイミングを調節するスイッチとを含むことが好ましい。 前記出力されるデータは、ＭＩＩ（Ｍｅｄｉａ  Ｉｎｄｅｐｅｎｄｅｎｔ  Ｉｎｔｅｒｆａｃｅ）、ＧＭＩＩ（Ｇｉｇａｂｉｔ  ＭＩＩ）及びＲＧＭＩＩ（Ｒｅｄｕｃｅ  ＧＭＩＩ）のうち少なくとも一つの形態であり、前記スイッチは、前記ＭＩＩ（Ｍｅｄｉａ  Ｉｎｄｅｐｅｎｄｅｎｔ  Ｉｎｔｅｒｆａｃｅ）、前記ＧＭＩＩ（Ｇｉｇａｂｉｔ  ＭＩＩ）及び前記ＲＧＭＩＩ（Ｒｅｄｕｃｅ  ＧＭＩＩ）のうち少なくとも一つのデータが前記主制御部に伝達されるように、前記出力されるデータの伝送タイミングを調節することが好ましい。 ＵＳＢインターフェース部を介してデータを受信するＵＳＢデバイスモジュールと、前記ＵＳＢデバイスモジュールを介して受信されるデータを前記主制御部に伝達するＵＳＢホストモジュールとを更に有することが好ましい。  前記副制御部は、前記待機モード状態で前記第１ＭＡＣを介して受信されるデータが前記主制御部で処理されるデータであると、前記主制御部に前記電力を供給するように前記主電力供給部を制御するプロセッサを更に含み、前記第２ＭＡＣは、前記主制御部が前記活性化モードに切り替えられると、前記受信されるデータを前記スイッチに伝達することが好ましい。  前記主制御部は、前記待機モードで前記ＵＳＢデバイスモジュールを介して受信される前記データが前記主制御部で処理されるデータであると、前記活性化モードに切り替えられ、前記ＵＳＢホストモジュールは、前記主制御部が前記活性化モードに切り替えられると、前記ＵＳＢデバイスモジュールを介して受信されるデータを前記主制御部に伝達することが好ましい。  前記副制御部は、前記通信インターフェース部の内の１つを介してデータを受信する第１ＭＡＣ（Ｍｅｄｉａ  Ａｃｃｅｓｓ  ｃｏｎｔｒｏｌｌｅｒ）と、前記第１ＭＡＣを介して受信されたデータが前記主制御部で処理されるデータであると、前記主制御部に前記電力を再供給するように前記主電力供給部を制御するプロセッサと、前記再供給された電力によって前記主制御部が前記活性化モードに切り替えられると、前記第１ＭＡＣを介して受信されたデータを前記主制御部に伝達するＵＳＢホストモジュールとを含むことが好ましい。 ＵＳＢインターフェース部を介してデータを受信するＵＳＢデバイスモジュールを更に有し、前記主制御部は、前記ＵＳＢデバイスモジュールを介して受信されるデータが前記主制御部で処理されるデータであると、前記主制御部は前記活性化モードに切り替えられ、前記ＵＳＢホストモジュールは、前記ＵＳＢデバイスモジュールを介して受信されるデータを前記主制御部に伝達することが好ましい。
【手続補正６】
【補正対象書類名】明細書
【補正対象項目名】０００８
【補正方法】変更
【補正の内容】
【０００８】 ＵＳＢインターフェース部を介してデータを受信するＵＳＢデバイスモジュールと、前記受信されたデータが前記主制御部で処理されるデータであると、前記活性化モードに切り替えられる主制御部と、前記主制御部が前記活性化モードに切り替えられると、前記ＵＳＢデバイスモジュールを介して受信されるデータを前記主制御部に伝達する第２ＭＡＣと、を含むことが好ましい。 前記副制御部は、前記通信インターフェース部を介してデータを受信する第１ＭＡＣを更に含み、前記主制御部は、前記受信されるデータが前記主制御部で処理されるデータであると、前記活性化モードに切り替えられ、前記第２ＭＡＣは、前記主制御部が活性化モードであると前記第１ＭＡＣを介して受信されたデータを前記主制御部に伝達することが好ましい。 前記主メモリーは、ＤＤＲメモリーを含むことが好ましい。 前記副制御部に電力を供給する低電力供給部を更に有することが好ましい。 前記通信インターフェース部は、ネットワークインターフェース部と、前記ネットワークインターフェース部と前記副制御部との間に接続されたＰＨＹチップとを含むことが好ましい。 外部ファクシミリと通信するファックス送受信ユニットと、前記活性化モードへの切り替えを要請するウェイクアップボタンとを更に有し、前記ファックス送受信ユニットまたは前記ウェイクアップボタンから入力されるデータは、前記活性化モードへの切り替えを決定するために分析されることが好ましい。 前記主制御部は、前記ファックス送受信ユニットからリング（ｒｉｎｇ）信号が検出されると、前記活性化モードに切り替えるようにし、前記ファックス送受信ユニットは前記外部ファクシミリから受信されたファックスデータを前記主制御部に伝達することが好ましい。
【手続補正７】
【補正対象書類名】明細書
【補正対象項目名】０００９
【補正方法】変更
【補正の内容】
【０００９】  上記目的を達成するためになされた本発明による画像形成装置の消費電力制御方法制御方法は、通信インターフェース部、主制御部、及び前記主制御部と前記通信インターフェース部との間に接続された副制御部を含む画像形成装置の消費電力制御方法において、活性化モードで前記主制御部が主メモリーからアクセスされたプログラムを実行することで前記画像形成装置の印刷動作を制御するステップと、前記活性化モードで前記画像形成装置の印刷ユニットが予め設定された時間の間に休止状態を維持すると、前記主制御部を前記活性化モードから待機モードに切り替え、前記主メモリーがセルフリフレッシュモードで動作するステップと、前記待機モードで、前記通信インターフェース部を介してデータを受信されると、前記受信されたデータが前記副主制御部または前記主制御部で処理されるか否かを決定するステップと、前記受信されたデータが前記主制御部で処理されると決定されると、前記主制御部を前記活性化モードにウェイクアップするステップとを有することを特徴とする。
【手続補正８】
【補正対象書類名】明細書
【補正対象項目名】００１０
【補正方法】変更
【補正の内容】
【００１０】  前記通信インターフェース部から入力されるデータを第１ＭＡＣ（Ｍｅｄｉａ  Ａｃｃｅｓｓ  Ｃｏｎｔｒｏｌｌｅｒ）が受信するステップと、前記第１ＭＡＣを介して受信されるデータを第２ＭＡＣで出力するステップと、前記出力されるデータの伝送タイミングを調節するステップとを更に有することが好ましい。 前記第１ＭＡＣを介して受信されるデータを第２ＭＡＣで出力するステップは、ＭＩＩ（Ｍｅｄｉａ  Ｉｎｄｅｐｅｎｄｅｎｔ  Ｉｎｔｅｒｆａｃｅ）、ＧＭＩＩ（Ｇｉｇａｂｉｔ  ＭＩＩ）及びＲＧＭＩＩ（Ｒｅｄｕｃｅ  ＧＭＩＩ）のうち少なくとも一つの形態で前記受信されたデータを出力し、前記出力されるデータの伝送タイミングを調節するステップは、前記ＭＩＩ（Ｍｅｄｉａ  Ｉｎｄｅｐｅｎｄｅｎｔ  Ｉｎｔｅｒｆａｃｅ）、前記ＧＭＩＩ（Ｇｉｇａｂｉｔ  ＭＩＩ）及び前記ＲＧＭＩＩ（Ｒｅｄｕｃｅ  ＧＭＩＩ）のうち少なくとも一つのデータが前記主制御部に伝達されるように、前記出力されるデータの伝送タイミングを調節することが好ましい。  ＵＳＢインターフェース部を介して入力されるデータをＵＳＢデバイスモジュールが受信するステップと、前記ＵＳＢデバイスモジュールを介して受信されるデータをＵＳＢホストモジュールから前記主制御部に伝達するステップとを更に有することが好ましい。 前記待機モード状態で、前記第１ＭＡＣを介して受信されるデータが前記主制御部で処理されるデータであると、前記主制御部を前記活性化モードに切り替えるステップを更に有し、前記第１ＭＡＣを介して受信されるデータを前記第２ＭＡＣで出力するステップは、前記主制御部が前記活性化モードに切り替えられると、前記受信されるデータを前記第２ＭＡＣで出力することが好ましい。 前記待機モード状態で前記ＵＳＢデバイスモジュールを介して受信される前記データが前記主制御部で処理されるデータであるか否かに基づいて、前記活性化モードに切り替えるか否かを決定するステップを更に有し、前記ＵＳＢデバイスモジュールを介して受信されるデータをＵＳＢホストモジュールから前記主制御部に伝達するステップは、前記主制御部が前記活性化モードに切り替えられると、前記ＵＳＢデバイスモジュールを介して受信されるデータを前記ＵＳＢホストモジュールから前記主制御部に伝達することが好ましい。  前記通信インターフェース部から入力されるデータを第１ＭＡＣが受信するステップと、前記第１ＭＡＣを介して受信されたデータが前記主制御部で処理されるデータであると、前記主制御部に前記電力を供給して前記活性化モードに切り替えるステップと、前記第１ＭＡＣを介して受信したデータを前記ＵＳＢホストモジュールによって前記主制御部に伝達するステップとを更に有することが好ましい。 ＵＳＢインターフェース部を介して入力されるデータをＵＳＢデバイスモジュールで受信するステップを更に有し、前記第１ＭＡＣを介して受信したデータを前記ＵＳＢホストモジュールによって前記主制御部に伝達するステップは、前記主制御部が前記活性化モードに切り替えられると、前記ＵＳＢホストモジュールは前記第１ＭＡＣを介して受信したデータを前記主制御部に伝達することが好ましい。  ＵＳＢインターフェース部を介���て入力されるデータをＵＳＢデバイスモジュールを介して受信するステップと、前記第１ＭＡＣを介して受信されたデータが前記主制御部で処理されるデータであると、前記主電力供給部が前記主制御部に前記電力を供給して前記主制御部を前記活性化モードに切り替えるステップと、前記ＵＳＢデバイスモジュールを介して受信したデータを第２ＭＡＣを介して前記主制御部に伝達するステップとを更に有することが好ましい。 前記通信インターフェース部を介して入力されるデータを第１ＭＡＣによって受信するステップを更に有し、前記ＵＳＢデバイスモジュールを介して受信したデータを第２ＭＡＣを介して前記主制御部に伝達するステップは、前記主制御部が前記活性化モードに切り替えられると、前記第２ＭＡＣは前記ＵＳＢデバイスモジュールを介して受信されたデータを前記主制御部に伝達することが好ましい。
【手続補正９】
【補正対象書類名】明細書
【補正対象項目名】００１１
【補正方法】変更
【補正の内容】
【００１１】  前記主メモリーがセルフリフレッシュモードで動作するステップは、前記主制御部と通信する主メモリーをセルフリフレッシュモードに変更するステップと、前記副制御部の制御によって、前記主電力供給部から前記主制御部に供給される電力を遮断するステップと、前記副制御部への電力供給を維持するステップとを含むことが好ましい。 前記通信インターフェース部は、ネットワークインターフェース部を含むことが好ましい。 前記受信されたデータが前記副主制御部または前記主制御部で処理されるか否かを決定するステップは、外部ファクシミリと送受信するファックス送受信ユニットまたは前記活性化モードへの切り替えを要請するウェイクアップボタンと接続され、前記ファックス送受信ユニットまたは前記ウェイクアップボタンから入力されるデータを分析して前記活性化モードへの切り替えを決定することが好ましい。 前記待機モードの間に前記通信インターフェース部を介して受信されたデータは、印刷データを含む主制御部によって処理されることが好ましい。 前記待機モードの間に前記通信インターフェース部を介して受信されたデータが、前記副制御部で処理されると決定されると、前記待機モードから前記主制御部をウェイクアップせずに前記副制御部で処理されることが好ましい。 前記副制御部は、前記活性化モードの間に前記通信インターフェース部を介して受信されたデータを前記主制御部にリレーすることが好ましい。 前記待機モードの間に前記通信インターフェース部を介して受信されたデータは、印刷データを含む前記主制御部によって処理されることが好ましい。 前記待機モードの間に前記通信インターフェース部を介して受信されたデータが、前記副制御部で処理されると決定されると、前記待機モードから前記主制御部をウェイクアップせずに前記副制御部で処理されることが好ましい。 前記副制御部は、前記活性化モードの間に前記通信インターフェース部を介して受信されたデータを前記主制御部にリレーすることが好ましい。